(57)【要約】【課題】利用するＭＦＰで実行可能な態様の機能の操作に関する情報の表示。【解決手段】ＭＦＰは、当機の操作に関する情報を表示する表示部を備え、ユーザの操作に応じて複数のＭＦＰにおいて共通に実行され得る所定機能の複数の態様のうち当機において実行可能な態様で所定機能を実行し、受付けられたユーザ情報および実行可能な所定機能の態様を特定可能な機能情報をサーバ装置に送信する（Ｓ１２１）。サーバ装置は、ユーザが設定した所定機能の態様を特定可能な設定情報をユーザ情報に対応付けて予め記憶し、ＭＦＰから受信されたユーザ情報に対応付けて記憶されている設定情報で示される態様が、ＭＦＰから受信された機能情報で示される態様に含まれると判断した場合、当該設定情報をＭＦＰに送信する（Ｓ２１６）。ＭＦＰは、サーバ装置から受信された設定情報で特定される態様に基づいて、操作に関する情報を表示部に表示させる（Ｓ１１４）。【選択図】図８
2018113631.tif 000002
【特許請求の範囲】
【請求項１】
複数の画像形成装置と、前記画像形成装置と通信可能なサーバ装置とを含む画像形成システムであって、
前記画像形成装置は、
当該画像形成装置の操作に関する情報を表示する表示部と、
ユーザの操作に応じて複数の前記画像形成装置において共通に実行され得る所定機能の複数の態様のうち、当該画像形成装置において実行可能な態様で所定機能を実行する実行手段と、
当該画像形成装置を使用するユーザを識別可能なユーザ情報を受付けるユーザ受付手段と、
前記ユーザ受付手段によって受付けられたユーザ情報、および、前記実行手段によって実行可能な所定機能の態様を特定可能な機能情報を、前記サーバ装置に送信する第１送信手段とを備え、
前記サーバ装置は、
ユーザが設定した所定機能の態様を特定可能な設定情報を、ユーザ情報に対応付けて予め記憶する設定記憶手段と、
前記画像形成装置からユーザ情報および機能情報を受信する第１受信手段と、
前記第１受信手段によって受信されたユーザ情報に対応付けて前記設定記憶手段に記憶されている設定情報で示される態様が、前記第１受信手段によって受信された機能情報で示される態様に含まれるか否かを判断する判断手段と、
前記判断手段によって設定情報で示される態様が機能情報で示される態様に含まれると判断した場合、当該設定情報を前記画像形成装置に送信する第２送信手段とを備え、
前記画像形成装置は、さらに、
前記サーバ装置から設定情報を受信する第２受信手段と、
前記第２受信手段によって受信された設定情報で特定される態様に基づいて、操作に関する情報を前記表示部に表示させる表示制御手段とを備える、画像形成システム。
【請求項２】
前記サーバ装置は、さらに、
前記判断手段によって設定情報で示される態様が機能情報で示される態様に含まれないと判断した場合、当該設定情報で示される態様の代替態様を特定する特定手段とを備え、
前記第２送信手段は、前記特定手段によって特定された代替態様を含む設定情報を送信し、
前記表示制御手段は、設定情報で示される代替態様に基づいて、操作に関する情報を前記表示部に表示させる、請求項１に記載の画像形成システム。
【請求項３】
所定機能は、所定のソフトウェアの実行機能であり、
所定機能の態様は、実行可能な状態のソフトウェアの種類である、請求項２に記載の画像形成システム。
【請求項４】
前記特定手段は、代替態様を複数のソフトウェアの組合せとして特定可能である、請求項３に記載の画像形成システム。
【請求項５】
前記表示制御手段は、設定情報で特定される態様のうち当該画像形成装置で実行可能な所定機能の態様に基づいて、操作に関する情報を前記表示部に表示させる、請求項１に記載の画像形成システム。
【請求項６】
前記画像形成装置は、さらに、
ユーザの所定機能の態様の設定情報を受付ける設定受付手段を備え、
前記設定記憶手段は、前記設定受付手段によって受付けられた設定情報を記憶する、請求項１に記載の画像形成システム。
【請求項７】
前記ユーザ受付手段は、ユーザ情報として当該画像形成装置側のユーザ情報を受付け、
前記画像形成装置は、さらに、
当該画像形成装置の使用が許可されているユーザの当該画像形成装置側のユーザ情報を予め記憶する第１記憶手段と、
前記ユーザ受付手段によって受付けられた当該画像形成装置側のユーザ情報が前記第１記憶手段に記憶されているかを判断することによって当該ユーザ情報のユーザによる当該画像形成装置の使用を許可する第１認証手段とを備え、
前記第１送信手段および前記第１受信手段は、それぞれ、前記画像形成装置側のユーザ情報を、ユーザ情報として送信および受信し、
前記サーバ装置は、さらに、
当該サーバ装置の使用が許可されているユーザの当該サーバ装置側のユーザ情報を予め記憶する第２記憶手段と、
同じユーザの前記画像形成装置側のユーザ情報と当該サーバ装置側のユーザ情報とを対応付けて予め記憶する対応記憶手段と、
前記第１受信手段によって受信された前記画像形成装置側のユーザ情報に対応付けて前記対応記憶手段に記憶された前記サーバ装置側のユーザ情報が前記第２記憶手段に記憶されているかを判断することによって当該ユーザ情報のユーザによる当該サーバ装置の使用を許可する第２認証手段とを備える、請求項１に記載の画像形成システム。
【請求項８】
前記ユーザ受付手段は、ユーザ情報として当該画像形成装置側のユーザ情報を受付け、
前記画像形成装置は、さらに、
当該画像形成装置の使用が許可されているユーザの当該画像形成装置側のユーザ情報を予め記憶する第１記憶手段と、
同じユーザの当該画像形成装置側のユーザ情報と前記サーバ装置側のユーザ情報とを対応付けて予め記憶する対応記憶手段と、
前記ユーザ受付手段によって受付けられた当該画像形成装置側のユーザ情報が前記第１記憶手段に記憶されているかを判断することによって当該ユーザ情報のユーザによる当該画像形成装置の使用を許可する第１認証手段とを備え、
前記第１送信手段および前記第１受信手段は、それぞれ、前記画像形成装置側のユーザ情報に対応付けて前記対応記憶手段に記憶されている前記サーバ装置側のユーザ情報を、ユーザ情報として送信および受信し、
前記サーバ装置は、さらに、
当該サーバ装置の使用が許可されているユーザの当該サーバ装置側のユーザ情報を予め記憶する第２記憶手段と、
前記第１受信手段によって受信された当該サーバ装置側のユーザ情報が前記第２記憶手段に記憶されているかを判断することによって当該ユーザ情報のユーザによる当該サーバ装置の使用を許可する第２認証手段とを備える、請求項１に記載の画像形成システム。
【発明の詳細な説明】
【技術分野】
【０００１】
この発明は、画像形成システムに関し、特に、複数の画像形成装置と、画像形成装置と通信可能なサーバ装置とを含む画像形成システムに関する。
【背景技術】
【０００２】
従来、複合機（ＭＦＰ：Multiple Function Peripheral；以下「ＭＦＰ」ともいう。）などの画像形成装置の表示部に、認証サーバで記憶されているユーザの利用履歴に基づいて最終利用画面を表示したり、最終利用画面に有料のアプリケーションプログラムの機能が含まれる場合、これに替えて無料のアプリケーションプログラムの機能を含めるものがあった（たとえば、特許文献１参照）。
【先行技術文献】
【特許文献】
【０００３】
【特許文献１】特開２０１１−３５７１３号公報
【発明の概要】
【発明が解決しようとする課題】
【０００４】
しかし、画像形成装置には様々な機種があり、画像形成装置ごとに実行可能な機能の態様が異なるため、最終利用画面に含まれる態様の機能が、利用しようとしている画像形成装置で必ずしも実行できるとは限らない。
【０００５】
この発明は上述の問題を解決するためになされたもので、この発明の目的の１つは、利用しようとしている画像形成装置で実行可能な態様の機能の操作に関する情報を表示することが可能な画像形成システムを提供することである。
【課題を解決するための手段】
【０００６】
上述の目的を達成するために、この発明のある局面に従えば、画像形成システムは、複数の画像形成装置と、画像形成装置と通信可能なサーバ装置とを含む。画像形成装置は、当該画像形成装置の操作に関する情報を表示する表示部と、ユーザの操作に応じて複数の画像形成装置において共通に実行され得る所定機能の複数の態様のうち、当該画像形成装置において実行可能な態様で所定機能を実行する実行部と、当該画像形成装置を使用するユーザを識別可能なユーザ情報を受付けるユーザ受付部と、ユーザ受付部によって受付けられたユーザ情報、および、実行部によって実行可能な所定機能の態様を特定可能な機能情報を、サーバ装置に送信する第１送信部とを備える。
【０００７】
サーバ装置は、ユーザが設定した所定機能の態様を特定可能な設定情報を、ユーザ情報に対応付けて予め記憶する設定記憶部と、画像形成装置からユーザ情報および機能情報を受信する第１受信部と、第１受信部によって受信されたユーザ情報に対応付けて設定記憶部に記憶されている設定情報で示される態様が、第１受信部によって受信された機能情報で示される態様に含まれるか否かを判断する判断部と、判断部によって設定情報で示される態様が機能情報で示される態様に含まれると判断した場合、当該設定情報を画像形成装置に送信する第２送信部とを備える。
【０００８】
画像形成装置は、さらに、サーバ装置から設定情報を受信する第２受信部と、第２受信部によって受信された設定情報で特定される態様に基づいて、操作に関する情報を表示部に表示させる表示制御部とを備える。
【０００９】
好ましくは、サーバ装置は、さらに、判断部によって設定情報で示される態様が機能情報で示される態様に含まれないと判断した場合、当該設定情報で示される態様の代替態様を特定する特定部とを備える。第２送信部は、特定部によって特定された代替態様を含む設定情報を送信する。表示制御部は、設定情報で示される代替態様に基づいて、操作に関する情報を表示部に表示させる。
【００１０】
さらに好ましくは、所定機能は、所定のソフトウェアの実行機能である。所定機能の態様は、実行可能な状態のソフトウェアの種類である。さらに好ましくは、特定部は、代替態様を複数のソフトウェアの組合せとして特定可能である。
【００１１】
好ましくは、表示制御部は、設定情報で特定される態様のうち当該画像形成装置で実行可能な所定機能の態様に基づいて、操作に関する情報を表示部に表示させる。
【００１２】
好ましくは、画像形成装置は、さらに、ユーザの所定機能の態様の設定情報を受付ける設定受付部を備える。設定記憶部は、設定受付部によって受付けられた設定情報を記憶する。
【００１３】
好ましくは、ユーザ受付部は、ユーザ情報として当該画像形成装置側のユーザ情報を受付ける。画像形成装置は、さらに、当該画像形成装置の使用が許可されているユーザの当該画像形成装置側のユーザ情報を予め記憶する第１記憶部と、ユーザ受付部によって受付けられた当該画像形成装置側のユーザ情報が第１記憶部に記憶されているかを判断することによって当該ユーザ情報のユーザによる当該画像形成装置の使用を許可する第１認証部とを備える。第１送信部および第１受信部は、それぞれ、画像形成装置側のユーザ情報を、ユーザ情報として送信および受信する。
【００１４】
サーバ装置は、さらに、当該サーバ装置の使用が許可されているユーザの当該サーバ装置側のユーザ情報を予め記憶する第２記憶部と、同じユーザの画像形成装置側のユーザ情報と当該サーバ装置側のユーザ情報とを対応付けて予め記憶する対応記憶部と、第１受信部によって受信された画像形成装置側のユーザ情報に対応付けて対応記憶部に記憶されたサーバ装置側のユーザ情報が第２記憶部に記憶されているかを判断することによって当該ユーザ情報のユーザによる当該サーバ装置の使用を許可する第２認証部とを備える。
【００１５】
好ましくは、ユーザ受付部は、ユーザ情報として当該画像形成装置側のユーザ情報を受付ける。画像形成装置は、さらに、当該画像形成装置の使用が許可されているユーザの当該画像形成装置側のユーザ情報を予め記憶する第１記憶部と、同じユーザの当該画像形成装置側のユーザ情報とサーバ装置側のユーザ情報とを対応付けて予め記憶する対応記憶部と、ユーザ受付部によって受付けられた当該画像形成装置側のユーザ情報が第１記憶部に記憶されているかを判断することによって当該ユーザ情報のユーザによる当該画像形成装置の使用を許可する第１認証部とを備える。第１送信部および第１受信部は、それぞれ、画像形成装置側のユーザ情報に対応付けて対応記憶部に記憶されているサーバ装置側のユーザ情報を、ユーザ情報として送信および受信する。
【００１６】
サーバ装置は、さらに、当該サーバ装置の使用が許可されているユーザの当該サーバ装置側のユーザ情報を予め記憶する第２記憶部と、第１受信部によって受信された当該サーバ装置側のユーザ情報が第２記憶部に記憶されているかを判断することによって当該ユーザ情報のユーザによる当該サーバ装置の使用を許可する第２認証部とを備える。
【発明の効果】
【００１７】
この発明に従えば、利用しようとしている画像形成装置で実行可能な態様の機能の操作に関する情報を表示することが可能な画像形成システムを提供することができる。
【図面の簡単な説明】
【００１８】
【図１】この発明の実施の形態に従うシステムの概略構成図である。
【図２】この発明の実施の形態に従う画像形成装置における概略のハードウェア構成を示す模式図である。
【図３】この発明の実施の形態に従う画像形成装置の操作パネルの代表的な外観を示す図である。
【図４】この発明の実施の形態に従うサーバ装置の概略のハードウェア構成を示す模式図である。
【図５】この実施の形態における画像形成装置を使用するユーザを認証するためのユーザ情報のデータベースを説明するための図である。
【図６】この実施の形態におけるカスタマイズサーバ装置を利用するユーザを認証するためのユーザ情報のデータベースを説明するための図である。
【図７】この実施の形態におけるユーザごとのカスタマイズ情報のデータベースを説明するための図である。
【図８】この実施の形態におけるカスタマイズ情報に基づいて画像形成装置が設定される処理の流れを示すフローチャートである。
【図９】この実施の形態におけるカスタマイズ情報に基づいて設定された画像形成装置のタッチパネルのメニュー画面を示す図である。
【発明を実施するための形態】
【００１９】
この発明の実施の形態について、図面を参照しながら詳細に説明する。なお、図中の同一または相当部分については、同一符号を付してその説明は繰返さない。
【００２０】
＜システムの全体構成＞
図１は、この発明の実施の形態に従うシステム１の概略構成図である。図１を参照して、本実施の形態に従うシステム１は、複数の画像形成装置ＭＦＰ１，ＭＦＰ２，ＭＦＰ３（以下、これらを総称して「画像形成装置ＭＦＰ」とも称す。）と、これらの画像形成装置ＭＦＰとネットワークＮＷ１を介してデータ通信可能に構成されたカスタマイズサーバ装置ＳＲＶ１およびアプリケーションサーバ装置ＳＲＶ２とを含む。なお、図１には、３台の画像形成装置ＭＦＰを含むシステム１を例示するが、画像形成装置ＭＦＰの数は制限されることはない。
【００２１】
ネットワークＮＷ１は、インターネットなどのパブリックネットワークであり、ＬＡＮ（Local Area Network）やＷＡＮ（Wide Area Network）などの専用回線や、仮想プライベートネットワーク（Virtual Private Network）などの公衆回線を含んでもよく、さらにその一部または全部が無線ＬＡＮなどの無線通信であってもよい。
【００２２】
さらに、ネットワークＮＷ２を介して、認証サーバ装置ＳＲＶ３が、画像形成装置ＭＦＰ２，ＭＦＰ３とデータ通信可能に配置される。ネットワークＮＷ２は、ＬＡＮや無線ＬＡＮや仮想プライベートネットワークなどのプライベートネットワークである。以下、カスタマイズサーバ装置ＳＲＶ１、アプリケーションサーバ装置ＳＲＶ２および認証サーバ装置ＳＲＶ３を総称して、サーバ装置ＳＲＶとも称する。
【００２３】
画像形成装置ＭＦＰは操作パネルを含んでいる。この操作パネルは、各画像形成装置ＭＦＰの操作に関する情報を表示する表示部として機能するとともに、ユーザ操作を受付ける入力部としても機能する。すなわち、操作パネルは、画像形成装置ＭＦＰのユーザインターフェイスである。特に、本実施の形態に従う画像形成装置ＭＦＰは、ユーザが当該画像形成装置ＭＦＰを操作するにあたり、ユーザを特定するためのユーザＩＤの入力を要求する。そして、画像形成装置ＭＦＰは、入力されたユーザＩＤに対応するアカウントを特定し、このアカウントに対応するカスタマイズ情報をサーバ装置ＳＲＶから取得し、取得したカスタマイズ情報に応じて、操作パネルの表示態様を変更する。このカスタマイズ情報は、画像形成装置ＭＦＰの各ユーザによって設定可能に構成され、各ユーザは、自身が使い易いように表示画面を任意に設定する。
【００２４】
なお、本実施の形態においては、画像形成装置ＭＦＰの代表例として、複写機能（モノクロおよび／またはカラー）、プリンタ機能、ＦＡＸ送信機能、イメージ読取機能（スキャナ機能）、および、アプリケーションソフトウェア実行機能といった複数の機能を搭載した複合機（ＭＦＰ：Multi Function Peripheral）について説明するが、上述の操作パネルを含んでいれば、たとえば複写機能だけを搭載する複写機であってもよい。
【００２５】
＜画像形成装置ＭＦＰのハードウェア構成＞
図２は、この発明の実施の形態に従う画像形成装置ＭＦＰにおける概略のハードウェア構成を示す模式図である。図２を参照して、画像形成装置ＭＦＰは、制御部１００と、メモリ部１０２と、画像読取部１０４と、プリント部１０６と、ネットワークインターフェイス（Ｉ／Ｆ）部１０８と、操作パネル１１０と、記憶部１１２とを含む。
【００２６】
制御部１００は、代表的にＣＰＵ（Central Processing Unit）などの演算装置を含んで構成され、予め格納されたプログラムを実行することで本実施の形態に従う処理を実現する。メモリ部１０２は、代表的にＤＲＡＭ（Dynamic Random Access Memory）などの揮発性の記憶装置であり、制御部１００で実行されるプログラムやプログラムの実行に必要なデータなどを保持する。ネットワークインターフェイス部１０８は、代表的に、ネットワークＮＷ１を介してサーバ装置ＳＲＶ（図１）などとの間でデータを送受信するための通信部であり、たとえば、ＬＡＮアダプタおよびそれを制御するドライバソフトなどを含む。プリント部１０６は、プリント処理を行なうための部位であり、プリント処理に係るハードウェア構成に加えて、各部の作動を制御するための制御装置をも含む。記憶部１１２は、代表的にハードディスク装置やフラッシュメモリなどの不揮発性の記憶装置であり、ユーザが設定するカスタマイズ情報などを格納する。
【００２７】
図３は、この発明の実施の形態に従う画像形成装置ＭＦＰの操作パネル１１０の代表的な外観を示す図である。図３を参照して、操作パネル１１０は、ユーザインターフェイスであり、テンキー１２４、スタートキー１２８、ストップキー１３０および登録キー１３２などを含む複数のキーと、タッチパネル１２２とを含む。
【００２８】
ユーザがスタートキー１２８を押すと、画像形成装置ＭＦＰで選択中の機能が実行され、ストップキー１３０を押すと、実行中の機能が中断または中止される。上述したように、本実施の形態に従う画像形成装置ＭＦＰは、ユーザが当該画像形成装置ＭＦＰを操作するにあたり、ユーザＩＤの入力を要求する。具体的には、画像形成装置ＭＦＰをいずれのユーザも使用していなければ、タッチパネル１２２のユーザＩＤの入力を促す画面が表示される。この状態において、ユーザがＩＤキー１２６を押すと、ユーザＩＤの入力画面がタッチパネル１２２に表示され、ユーザはこの入力画面に対してテンキー１２４などを用いてユーザＩＤを入力する。すると、タッチパネル１２２上には、当該入力されたユーザＩＤに対応する表示態様の画面が表示される。
【００２９】
登録キー１３２には、画像形成装置ＭＦＰの機能のうちいずれかを割り当てることができる。登録キー１３２を押すと、割り当てられた機能が実行される。
【００３０】
なお、画像形成装置ＭＦＰまたは認証サーバ装置ＳＲＶ３において、入力されたユーザＩＤに対して認証処理を行なうようにしてもよく、この場合には、認証が成功した場合に限って、当該入力されたユーザＩＤに対応する表示態様の画面が表示される。さらに、ユーザＩＤを直接入力する構成に加えて、ＩＣカードなどのユーザＩＤを非接触で読取るための装置や、生体認証技術（静脈認証や網膜認証）などを用いてユーザＩＤを取得するようにしてもよい。
【００３１】
タッチパネル１２２は、画像形成装置ＭＦＰの操作に関する情報を表示するための液晶パネル（ＬＣＤ：Liquid Crystal Display）と、液晶パネル上に配置され、押下を感知することでユーザ操作を受付ける感知パネルとを含む。すなわち、タッチパネル１２２には、ユーザに対して情報を表示するとともに、画像形成装置ＭＦＰに対する各操作に対応付けられたボタン表示がなされる。そして、感知パネルがこの各ボタンに対応する位置についてユーザ操作がなされたことを検知すると、このボタンに対応する操作が実行される。
【００３２】
＜サーバ装置およびパーソナルコンピュータのハードウェア構成＞
図４は、この発明の実施の形態に従うサーバ装置ＳＲＶの概略のハードウェア構成を示す模式図である。図４を参照して、サーバ装置ＳＲＶは、オペレーティングシステムを含む各種プログラムを実行するＣＰＵ２００と、ＣＰＵ２００でのプログラムの実行に必要なデータを一時的に記憶するメモリ部２１２と、ＣＰＵ２００で実行されるプログラムを不揮発的に記憶するハードディスク部（ＨＤＤ）２１０とを含む。このようなプログラムは、ＣＤ−ＲＯＭ（Compact Disk-Read Only Memory）ドライブ２１４またはフレキシブルディスク（ＦＤ：Flexible Disk）ドライブ２１６によって、それぞれＣＤ−ＲＯＭ２１４ａまたはフレキシブルディスク２１６ａなどから読取られる。
【００３３】
ＣＰＵ２００は、キーボードやマウスなどからなる入力部２０８を介してユーザによる操作要求を受取るとともに、プログラムの実行によって生成される画面出力をディスプレイ２０４へ出力する。また、ＣＰＵ２００は、ＬＡＮカードなどからなるネットワークインターフェイス（Ｉ／Ｆ）部２０６を介して、パーソナルコンピュータＰＣや画像形成装置ＭＦＰとの間でデータ通信を行なう。なお、各部位は、内部バス２０２を介して互いに接続される。
【００３４】
パーソナルコンピュータＰＣの概略のハードウェア構成についても図４と同様であるので、詳細な説明は繰返さない。
【００３５】
＜ユーザごとのカスタマイズ設定に基づくタッチパネルの画面の表示＞
図５は、この実施の形態における画像形成装置ＭＦＰを使用するユーザを認証するためのユーザ情報のデータベースを説明するための図である。図５を参照して、このデータベースにおいては、予め登録されたユーザのユーザＩＤに対応付けて、当該ユーザＩＤに対応するパスワードが記憶される。この画像形成装置ＭＦＰのユーザ情報のデータベースは、画像形成装置ＭＦＰが認証サーバ装置ＳＲＶ３に接続されるようにシステムが構成される場合（図１の画像形成装置ＭＦＰ２，ＭＦＰ３の場合）は、認証サーバ装置ＳＲＶ３に記憶され、画像形成装置ＭＦＰが認証サーバ装置ＳＲＶ３に接続されない場合（図１の画像形成装置ＭＦＰ１の場合）は、画像形成装置ＭＦＰに記憶される。
【００３６】
図６は、この実施の形態におけるカスタマイズサーバ装置ＳＲＶ１を利用するユーザを認証するためのユーザ情報のデータベースを説明するための図である。図６を参照して、このデータベースにおいては、予め登録されたカスタマイズサーバ装置ＳＲＶ１を利用するためのアカウントに対応付けて、当該アカウントに対応する画像形成装置ＭＦＰのユーザＩＤが記憶される。このカスタマイズサーバ装置ＳＲＶ１のユーザ情報のデータベースは、この実施の形態においては、カスタマイズサーバ装置ＳＲＶ１に記憶されるようにする。しかし、これに限定されず、カスタマイズサーバ装置ＳＲＶ１のユーザ情報のデータベースは、ユーザが使用する画像形成装置ＭＦＰに記憶されるようにしてもよい。
【００３７】
図６で示す例では、カスタマイズサーバ装置ＳＲＶ１のアカウントの「UserA@Konicaminolta.com」に対応付けて、画像形成装置ＭＦＰのユーザＩＤの「ＵｓｅｒＡ」が記憶される。
【００３８】
図７は、この実施の形態におけるユーザごとのカスタマイズ情報のデータベースを説明するための図である。図７を参照して、このデータベースにおいては、カスタマイズサーバ装置ＳＲＶ１のアカウントに対応付けて、当該アカウントのユーザの画像形成装置ＭＦＰのタッチパネルのメニュー画面等のカスタマイズ情報が記憶される。
【００３９】
具体的には、カスタマイズ情報として、１つ目から５つ目の機能（およびその態様）を示す情報、および、メニュー画面の背景画像のデータが記憶される。１つ目の機能（およびその態様）は、スタートキー１２８を押すだけで当該機能の動作が開始するように優先的に起動される機能（またはその態様）（優先起動の機能）である。２つ目の機能（およびその態様）は、メニュー画面の第１の位置に表示されるボタンを操作することで起動する機能（およびその態様）（Ｍｅｎｕ１の機能）である。３つ目の機能（およびその態様）は、メニュー画面の第２の位置に表示されるボタンを操作することで起動する機能（およびその態様）（Ｍｅｎｕ２の機能）である。４つ目の機能（およびその態様）は、メニュー画面の第３の位置に表示されるボタンを操作することで起動する機能（およびその態様）（Ｍｅｎｕ３の機能）である。５つ目の機能（およびその態様）は、登録キー１３２に割り当てられる機能（およびその態様）（登録キー１３２の機能）である。
【００４０】
なお、カスタマイズ情報として、他の情報が含まれるようにしてもよい。たとえば、メニュー画面の他の位置に表示されるボタンを操作することで起動する機能（およびその態様）を示す情報が含まれるようにしてもよい。それぞれの機能を示す情報によって示される機能の態様を示す情報が含まれるようにしてもよい。
【００４１】
図７で示す例では、カスタマイズサーバ装置ＳＲＶ１のアカウントの「UserA@Konicaminolta.com」に対応付けて、優先起動の機能として「Ｃｏｐｙ」機能（コピー機能）を示す情報、Ｍｅｎｕ１の機能として「Ｓｃａｎ」機能（スキャナ機能）を示す情報、Ｍｅｎｕ２の機能として「Ｃｏｐｙ」機能を示す情報、Ｍｅｎｕ３の機能として「アプリケーションソフトウェア実行機能」の「検索アプリ」を実行する態様を示す情報、登録キー１３２の機能として「Ｃｏｐｙ」機能を示す情報、および、背景画像のデータとしてファイル名「ＢＧ１．ｊｐｇ」の画像データが記憶される。
【００４２】
図８は、この実施の形態におけるカスタマイズ情報に基づいて画像形成装置ＭＦＰが設定される処理の流れを示すフローチャートである。図８を参照して、まず、画像形成装置ＭＦＰにおいて、ユーザＩＤおよびパスワードが入力される（ステップＳ１１１）。これに応じて、画像形成装置ＭＦＰは、ログイン認証処理を実行する（ステップＳ１１２）。ログイン認証処理においては、図５で示した画像形成装置ＭＦＰまたは認証サーバ装置ＳＲＶ３に記憶されたユーザ情報のデータベースに、入力されたユーザＩＤおよびパスワードの組合せが記憶されているか否かによって認証が行なわれる。
【００４３】
認証された場合、画像形成装置ＭＦＰは、ユーザＩＤを含むカスタマイズ要求を、画像形成装置ＭＦＰで実行されているエージェントアプリケーションソフトウェアに送る（ステップＳ１１３）。エージェントアプリケーションソフトウェアは、カスタマイズ設定に関する処理を実行するアプリケーションソフトウェアである。
【００４４】
エージェントアプリケーションソフトウェアは、カスタマイズ要求を受けると、ユーザＩＤ、当該画像形成装置ＭＦＰの装置ＩＤおよび当該画像形成装置ＭＦＰに組込まれているアプリケーションソフトウェアリストを含むカスタマイズ要求を、カスタマイズサーバ装置ＳＲＶ１に送信する（ステップＳ１２１）。装置ＩＤは、各画像形成装置ＭＦＰを一意に特定する識別情報である。
【００４５】
カスタマイズサーバ装置ＳＲＶ１は、カスタマイズ要求を受信すると、アカウント認証処理を実行する（ステップＳ２１１）。アカウント認証処理においては、図６で示したユーザ情報のデータベースに、受信したカスタマイズ要求に含まれるユーザＩＤが記憶されているか否かによって認証が行なわれる。
【００４６】
認証された場合、カスタマイズサーバ装置ＳＲＶ１は、受信したカスタマイズ要求に含まれるユーザＩＤに対応するアカウントのカスタマイズ情報を、図７で説明したカスタマイズ情報のデータベースから読み出す（ステップＳ２１２）。
【００４７】
カスタマイズサーバ装置ＳＲＶ１は、読出したカスタマイズ情報に含まれるアプリケーションソフトウェアが、受信したカスタマイズ要求に含まれるアプリケーションソフトウェアリストに含まれない、つまり、不足しているアプリケーションソフトウェアが有るか否かを判断する（ステップＳ２１３）。
【００４８】
不足しているアプリケーションソフトウェアが有る場合、カスタマイズサーバ装置ＳＲＶ１は、カスタマイズ情報に含まれるアプリケーションソフトウェアに代替するアプリケーションソフトウェアを特定し、カスタマイズ情報に含まれるアプリケーションソフトウェア実行機能の或るアプリケーションソフトウェアを実行する態様を、特定したアプリケーションソフトウェアを実行する態様に置換える。（ステップＳ２１４）。
【００４９】
また、カスタマイズサーバ装置ＳＲＶ１は、特定したアプリケーションソフトウェアをアプリケーションサーバ装置ＳＲＶ２から取得する（ステップＳ２１５）。
【００５０】
具体的には、カスタマイズ情報に含まれるアプリケーションソフトウェアが、或る機能のアプリケーションソフトウェアである場合、その機能と同様の機能（同一の機能または類似する機能）のアプリケーションソフトウェアを特定する。たとえば、カスタマイズ情報に含まれるアプリケーションソフトウェアが、検索アプリケーションソフトウェアである場合、他の検索アプリケーションソフトウェアを特定する。
【００５１】
なお、同じアプリケーションソフトウェアがアプリケーションサーバ装置ＳＲＶ２にあれば、それを特定して取得するようにしてもよい。また、特定したアプリケーションソフトウェアがウェブアプリケーションソフトウェアである場合は、当該ウェブアプリケーションソフトウェアへのリンクを取得する。
【００５２】
また、カスタマイズ情報に含まれるアプリケーションソフトウェアに類似する機能のアプリケーションソフトウェアが、受信したカスタマイズ要求に含まれるアプリケーションソフトウェアリストに含まれる場合は、そのアプリケーションソフトウェアで代替するようにしてもよい。この場合は、カスタマイズ情報に含まれる「アプリケーションソフトウェア実行機能の或るアプリケーションソフトウェアを実行する態様を、代替するアプリケーションソフトウェアを実行する態様に置換える。
【００５３】
そして、カスタマイズサーバ装置ＳＲＶ１は、カスタマイズ情報および背景画像データに加えて、代替アプリケーションソフトウェアを取得した場合はそのプログラムデータを含むカスタマイズ応答を、画像形成装置ＭＦＰのエージェントアプリに送信する（ステップＳ２１６）。取得したのがウェブアプリケーションソフトウェアである場合は、当該ウェブアプリケーションソフトウェアへのリンクを含むカスタマイズ応答を、画像形成装置ＭＦＰのエージェントアプリに送信する。
【００５４】
エージェントアプリケーションソフトウェアは、カスタマイズ応答を受信すると、カスタマイズ応答に含まれるカスタマイズ情報に基づいて、優先起動の機能、Ｍｅｎｕ１からＭｅｎｕ３の機能、および、登録キー１３２の機能を設定する（ステップＳ１２２）。また、エージェントアプリケーションソフトウェアは、カスタマイズ応答に含まれる背景画像をメニュー画面の背景として設定する。さらに、エージェントアプリケーションソフトウェアは、カスタマイズ応答に、代替するアプリケーションソフトウェアが含まれる場合は、代替するアプリケーションソフトウェアを画像形成装置ＭＦＰにインストールするよう設定する。
【００５５】
また、カスタマイズ応答に含まれるカスタマイズ情報に、当該画像形成装置ＭＦＰに搭載されていない機能が含まれる場合は、それに代替する機能が設定される。たとえば、カスタマイズ応答に含まれるカスタマイズ情報に、カラーコピーの機能が含まれているが、当該画像形成装置ＭＦＰに、カラーコピーの機能が搭載されていない場合は、それに代替する機能、たとえば、モノクロコピーの機能が設定される。
【００５６】
また、カスタマイズ応答に含まれるカスタマイズ情報に、当該画像形成装置ＭＦＰに搭載されていない機能が含まれる場合であって、それに代替する機能が無い場合、当該機能は設定されない。たとえば、カスタマイズ応答に含まれるカスタマイズ情報に、ＦＡＸ送信機能が含まれているが、当該画像形成装置ＭＦＰに、ＦＡＸ送信機能が搭載されていない場合であって、それに代替する機能が無い場合、当該機能は設定されない。たとえば、Ｍｅｎｕ１からＭｅｎｕ３の機能として当該機能が含まれている場合は、当該機能はメニュー画面に表示されない。
【００５７】
画像形成装置ＭＦＰは、このようなカスタマイズ応答に基づくカスタマイズ設定により設定されたタッチパネル１２２のメニュー画面を表示する（ステップＳ１１４）。
【００５８】
図９は、この実施の形態におけるカスタマイズ情報に基づいて設定された画像形成装置ＭＦＰのタッチパネル１２２のメニュー画面を示す図である。図９を参照して、メニュー画面の第１の位置には、Ｍｅｎｕ１の機能（図７で示したＵｓｅｒＡの場合「Ｓｃａｎ（スキャナ機能）」）を実行するためのボタン１２３Ａ、第２の位置には、Ｍｅｎｕ２の機能（図７で示したＵｓｅｒＡの場合「Ｃｏｐｙ（コピー機能）」）を実行するためのボタン１２３Ｂ、第３の位置には、Ｍｅｎｕ３の機能（図７で示したＵｓｅｒＡの場合「検索アプリ」）を実行するためのボタン１２３Ｃ、および、第４の位置には、設定機能を実行するためのボタン１２３Ｄが表示される。
【００５９】
＜カスタマイズ情報の登録＞
カスタマイズ情報の登録方法として２つの方法を以下に示す。１つ目の方法は、カスタマイズサーバ装置ＳＲＶ１に直接登録する方法である。２つ目の方法は、エージェントアプリケーションを用いて登録する方法である。なお、カスタマイズ情報の変更についても、カスタマイズ情報の登録と同様の方法で行なうことができる。
【００６０】
１つ目の方法においては、まず、パーソナルコンピュータＰＣからカスタマイズサーバ装置ＳＲＶ１のウェブサイトにアクセスし、図６のデータベースで示したように、画像形成装置ＭＦＰのユーザＩＤに対応付けてカスタマイズサーバ装置ＳＲＶ１のアカウントを登録する。次に、パーソナルコンピュータＰＣから、そのアカウントでカスタマイズサーバ装置ＳＲＶ１にログインして、図７のデータベースで示したように、パーソナルコンピュータＰＣ上でアカウントに対応付けてカスタマイズ情報を作成し、作成したカスタマイズ情報をカスタマイズサーバ装置ＳＲＶ１に登録する。
【００６１】
２つ目の方法においては、まず、画像形成装置ＭＦＰにユーザＩＤを入力してログインし、エージェントアプリケーションソフトウェアを起動し、エージェントアプリケーションソフトウェアを用いて、ユーザＩＤに対応するカスタマイズサーバ装置ＳＲＶ１のアカウントをカスタマイズサーバ装置ＳＲＶ１に登録する。次に、画像形成装置ＭＦＰのエージェントアプリケーションソフトウェアから、そのアカウントでカスタマイズサーバ装置ＳＲＶ１にログインして、図７のデータベースで示したように、エージェントアプリケーションソフトウェアを用いて画像形成装置ＭＦＰ上でアカウントに対応付けてカスタマイズ情報を作成し、作成したカスタマイズ情報をカスタマイズサーバ装置ＳＲＶ１に登録する。
【００６２】
＜変形例＞
（１）  前述した実施の形態において、カスタマイズ要求に、機差の情報を含むようにして、カスタマイズサーバ装置ＳＲＶ１は、カスタマイズ要求に含まれる機差で示される機能が、カスタマイズ情報に含まれない場合は、機差に対応した代替機能がカスタマイズ情報に含められるようにしてもよい。たとえば、機差の情報としてカラーコピーの機能を有さないとの情報が含まれるときに、カスタマイズ情報にカラーコピーの機能が含まれる場合は、カラーコピーの機能に代替するモノクロコピーの機能がカスタマイズ情報に含められるようにする。
【００６３】
（２）  前述した実施の形態において、カスタマイズ要求に、機差の情報を含むようにして、カスタマイズサーバ装置ＳＲＶ１は、カスタマイズ要求に含まれる機差で示される機能が、カスタマイズ情報に含まれない場合に、機差に対応した代替機能が無ければ、カスタマイズ情報から当該機能を削除するようにしてもよい。たとえば、機差の情報として、ＦＡＸ送信機能を有さないとの情報が含まれるときに、カスタマイズ情報にＦＡＸ送信機能が含まれる場合は、当該ＦＡＸ送信機能に代替する機能がないので、カスタマイズ情報から当該ＦＡＸ送信機能を削除するようにしてもよい。
【００６４】
（３）  前述した実施の形態において、図５で示した画像形成装置ＭＦＰまたは認証サーバ装置ＳＲＶ３に記憶されたユーザ情報のデータベースからユーザＩＤが削除された場合、カスタマイズサーバ装置ＳＲＶ１は、図６および図７で示したデータベースの当該ユーザＩＤに対応する情報を削除してもよい。
【００６５】
（４）  前述した実施の形態において、カスタマイズ情報に、コピー機能の設定情報（カラー／モノクロ設定など）、スキャナ機能の設定情報（読込み解像度など）、印刷機能の設定情報（印刷解像度、カラー／モノクロ設定、ステープルおよびパンチなどのフィニッシャ設定など）、スキャンしたデータの送り先のデータ、および、ＦＡＸ送信の宛先のデータが含まれるようにしてもよい。
【００６６】
（５）  前述した実施の形態においては、図５のデータベースが画像形成装置ＭＦＰに記憶され、図６のデータベースがカスタマイズサーバ装置ＳＲＶ１に記憶されるようにした。つまり、画像形成装置ＭＦＰにおいて、画像形成装置ＭＦＰのログイン認証が行なわれ、カスタマイズサーバ装置ＳＲＶ１において、カスタマイズサーバ装置ＳＲＶ１のアカウント認証が行なわれることで、両認証が独立して行なわれるようにした。
【００６７】
しかし、これに限定されず、両認証が独立して行なわれる場合に、図５および図６のデータベースが画像形成装置ＭＦＰに記憶されるようにして、画像形成装置ＭＦＰにおいて、画像形成装置ＭＦＰのログイン認証およびカスタマイズサーバ装置ＳＲＶ１のアカウント認証の両方が行なわれるようにしてもよい。
【００６８】
（６）  前述した実施の形態においては、図８のステップＳ２１４で説明したように、代替するアプリケーションソフトウェアとして、カスタマイズ情報に含まれるアプリケーションソフトウェアの機能と同様の機能のアプリケーションソフトウェアを特定するようにした。しかし、これに限定されず、アプリケーションソフトウェアリストに含まれるアプリケーションソフトウェア、および、アプリケーションサーバ装置ＳＲＶ２から取得可能なアプリケーションソフトウェアを組合せたものを、代替するアプリケーションソフトウェアとして特定するようにしてもよい。
【００６９】
たとえば、スキャンしたデータを印刷してメールに添付して送信するアプリケーションソフトウェアを代替するアプリケーションソフトウェアとして、スキャンしたデータを所定フォルダに記憶させるとともにメール送信するアプリケーションソフトウェア、および、所定フォルダのデータを印刷するアプリケーションソフトウェアを組合せものとしてもよい。
【００７０】
（７）  前述した実施の形態において、エージェントアプリケーションソフトウェアが画像形成装置ＭＦＰに組込まれることで前述した各処理が実現されるようにした。しかし、これに限定されず、エージェントアプリケーションソフトウェアの機能が画像形成装置ＭＦＰに最初から組込まれていることとしてもよい。
【００７１】
＜本実施の形態の効果＞
（１）  本実施の形態のシステム１は、複数の画像形成装置ＭＦＰと、画像形成装置ＭＦＰと通信可能なカスタマイズサーバ装置ＳＲＶ１とを含む。画像形成装置ＭＦＰは、タッチパネル１２２と、制御部１００と、操作パネル１１０と、ネットワークインターフェイス部１０８とを備える。タッチパネル１２２は、当該画像形成装置ＭＦＰの操作に関する情報を表示する。制御部１００は、ユーザの操作に応じて複数の画像形成装置ＭＦＰにおいて共通に実行され得る所定機能（たとえば、アプリケーションソフトウェア実行機能、コピー機能、スキャナ機能、ぷらインタ機能、ＦＡＸ送信機能）の複数の態様（たとえば、アプリケーションソフトウェア実行機能の場合、複数のアプリケーションソフトウェアを実行する態様。コピー機能の場合、カラーコピー／モノクロコピーの態様。）のうち、当該画像形成装置ＭＦＰにおいて実行可能な態様で所定機能を実行する。操作パネル１１０は、当該画像形成装置ＭＦＰを使用するユーザを識別可能なユーザＩＤを受付ける。ネットワークインターフェイス部１０８は、操作パネル１１０によって受付けられたユーザＩＤ、および、制御部１００によって実行可能な所定機能の態様を特定可能な機能情報（たとえば、アプリケーションソフトウェア実行機能の場合、アプリケーションソフトウェアリスト。コピー機能の場合、カラーコピーの可否を示す情報。）を、カスタマイズサーバ装置ＳＲＶ１に送信する。
【００７２】
カスタマイズサーバ装置ＳＲＶ１は、ＨＤＤ２１０に記憶された図７で示すデータベースと、ネットワークインターフェイス部２０６と、ＣＰＵ２００とを備える。図７で示すデータベースは、ユーザが設定した所定機能の態様を特定可能なカスタマイズ情報を、ユーザＩＤに対応するアカウントに対応付けて予め記憶する。ネットワークインターフェイス部２０６は、画像形成装置ＭＦＰからユーザＩＤおよび機能情報を受信する。ＣＰＵ２００は、ネットワークインターフェイス部２０６によって受信されたユーザＩＤに対応するアカウントに対応付けて図７で示すデータベースに記憶されているカスタマイズ情報で示される態様が、ネットワークインターフェイス部２０６によって受信された機能情報で示される態様に含まれるか否かを判断する。ネットワークインターフェイス部２０６は、ＣＰＵ２００によってカスタマイズ情報で示される態様が、機能情報で示される態様に含まれると判断した場合、当該カスタマイズ情報を画像形成装置ＭＦＰに送信する。
【００７３】
ネットワークインターフェイス部１０８は、カスタマイズサーバ装置ＳＲＶ１からカスタマイズ情報を受信する。制御部１００は、ネットワークインターフェイス部１０８によって受信されたカスタマイズ情報で特定される態様に基づいて、操作に関する情報をタッチパネル１２２に表示させる。
【００７４】
これにより、利用しようとしている画像形成装置ＭＦＰで実行可能な態様の機能の操作に関する情報を表示することができる。その結果、ユーザの利便性を向上させることができる。
【００７５】
（２）  カスタマイズサーバ装置ＳＲＶ１のＣＰＵ２００は、さらに、カスタマイズ情報で示される態様が機能情報で示される態様に含まれないと判断した場合、当該カスタマイズ情報で示される態様の代替態様を特定する。ネットワークインターフェイス部２０６は、ＣＰＵ２００によって特定された代替態様を含むカスタマイズ情報を送信する。制御部１００は、カスタマイズ情報で示される代替態様に基づいて、操作に関する情報をタッチパネル１２２に表示させる。
【００７６】
これにより、カスタマイズ情報で示される態様が機能情報で示される態様に含まれない場合であっても、代替態様に基づいて操作に関する情報をタッチパネル１２２に表示させることができる。その結果、ユーザの利便性を向上させることができる。
【００７７】
（３）  所定機能は、所定のアプリケーションソフトウェアの実行機能である。所定機能の態様は、実行可能な状態のアプリケーションソフトウェアの種類である。
【００７８】
（４）  ＣＰＵ２００は、代替態様を複数のアプリケーションソフトウェアの組合せとして特定可能である。
【００７９】
（５）  制御部１００は、カスタマイズ情報で特定される態様のうち当該画像形成装置ＭＦＰで実行可能な所定機能の態様に基づいて、操作に関する情報をタッチパネル１２２に表示させる。これにより、ユーザの利便性を向上させることができる。
【００８０】
（６）  画像形成装置ＭＦＰは、さらに、ユーザの所定機能の態様のカスタマイズ情報を受付けるエージェントアプリケーションソフトウェアを備える。図７で示されるデータベースには、エージェントアプリケーションソフトウェアによって受付けられたカスタマイズ情報が記憶される。
【００８１】
（７）  操作パネル１１０は、当該画像形成装置ＭＦＰ側のユーザＩＤを受付ける。画像形成装置ＭＦＰの記憶部１１２に記憶される図５で示すデータベースには、当該画像形成装置ＭＦＰの使用が許可されているユーザの当該画像形成装置ＭＦＰ側のユーザＩＤが予め記憶される。制御部１００は、操作パネル１１０によって受付けられた当該画像形成装置ＭＦＰ側のユーザＩＤが図５のデータベースに記憶されているかを判断することによって当該ユーザＩＤのユーザによる当該画像形成装置ＭＦＰの使用を許可する。ネットワークインターフェイス部１０８，２０６は、それぞれ、画像形成装置ＭＦＰ側のユーザＩＤを送信および受信する。
【００８２】
カスタマイズサーバ装置ＳＲＶ１のＨＤＤ２１０に記憶される図６で示すデータベースには、さらに、当該カスタマイズサーバ装置ＳＲＶ１の使用が許可されているユーザの当該カスタマイズサーバ装置ＳＲＶ１側のアカウントと、同じユーザの画像形成装置ＭＦＰ側のユーザＩＤとが対応付けられて予め記憶される。カスタマイズサーバ装置ＳＲＶ１のＣＰＵ２００は、ネットワークインターフェイス部２０６によって受信された画像形成装置ＭＦＰ側のユーザＩＤに対応付けて記憶されたカスタマイズサーバ装置ＳＲＶ１側のアカウントが図６で示すデータベースに記憶されているかを判断することによって当該ユーザによる当該カスタマイズサーバ装置ＳＲＶ１の使用を許可する。
【００８３】
これにより、画像形成装置ＭＦＰ側とカスタマイズサーバ装置ＳＲＶ１側とのユーザの認証を確実に行なうことができる。
【００８４】
（８）  上記（７）に替えて、以下のようにしてもよい。操作パネル１１０は、当該画像形成装置ＭＦＰ側のユーザＩＤを受付ける。画像形成装置ＭＦＰの記憶部１１２に記憶されるデータベースには、当該画像形成装置ＭＦＰの使用が許可されているユーザの当該画像形成装置ＭＦＰ側のユーザＩＤが予め記憶される。画像形成装置ＭＦＰの記憶部１１２に記憶されるデータベースには、同じユーザの当該画像形成装置ＭＦＰ側のユーザＩＤと、カスタマイズサーバ装置ＳＲＶ１側のアカウントとが対応付けられて予め記憶される。画像形成装置ＭＦＰの制御部１００は、操作パネル１１０によって受付けられた当該画像形成装置ＭＦＰ側のユーザＩＤがデータベースに記憶されているかを判断することによって当該ユーザＩＤのユーザによる当該画像形成装置ＭＦＰの使用を許可する。ネットワークインターフェイス部１０８，２０６は、それぞれ、画像形成装置ＭＦＰ側のユーザＩＤに対応付けてデータベースに記憶されているカスタマイズサーバ装置ＳＲＶ１側のアカウントを送信および受信する。
【００８５】
カスタマイズサーバ装置ＳＲＶ１のＨＤＤ２１０に記憶されるデータベースには、さらに、当該カスタマイズサーバ装置ＳＲＶ１の使用が許可されているユーザの当該カスタマイズサーバ装置ＳＲＶ１側のアカウントが予め記憶される。カスタマイズサーバ装置ＳＲＶ１のＣＰＵ２００は、ネットワークインターフェイス部２０６によって受信された当該カスタマイズサーバ装置ＳＲＶ１側のアカウントがデータベースに記憶されているかを判断することによって当該アカウントのユーザによる当該カスタマイズサーバ装置ＳＲＶ１の使用を許可する。
【００８６】
これにより、画像形成装置ＭＦＰ側とカスタマイズサーバ装置ＳＲＶ１側とのユーザの認証を確実に行なうことができる。
【００８７】
＜その他の実施の形態＞
本発明に係るプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００８８】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００８９】
提供されるプログラム製品は、ハードディスクなどのプログラム格納部にインストールされて実行される。なお、プログラム製品は、プログラム自体と、プログラムが記憶された記憶媒体とを含む。
【００９０】
さらに、本発明に係るプログラムによって実現される機能の一部または全部を専用のハードウェアによって構成してもよい。
【００９１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９２】
１  システム、１００  制御部、１０２  メモリ部、１０４  画像読取部、１０６  プリント部、１０８，２０６  ネットワークインターフェイス（Ｉ／Ｆ）部、１１０  操作パネル、１１２  記憶部、１２２  タッチパネル、１２３Ａ〜１２３Ｄ  ボタン、１２４  テンキー、１２６  ＩＤキー、１２８  スタートキー、１３０  ストップキー、２０２  内部バス、２０４  ディスプレイ、２０８  入力部、２１０  ハードディスク部（ＨＤＤ）、２１２  メモリ部、２１４  ＣＤ−ＲＯＭドライブ、２１４ａ  ＣＤ−ＲＯＭ、２１６  フレキシブルディスクドライブ、２１６ａ  フレキシブルディスク、ＭＦＰ，ＭＦＰ１，ＭＦＰ２，ＭＦＰ３  画像形成装置、ＮＷ  ネットワーク、ＰＣ  パーソナルコンピュータ、ＳＲＶ  サーバ装置、ＳＲＶ１  カスタマイズサーバ装置、ＳＲＶ２  アプリケーションサーバ装置、ＳＲＶ３  認証サーバ装置。
【図１】
2018113631.tif 000003
【図２】
2018113631.tif 000004
【図３】
2018113631.tif 000005
【図４】
2018113631.tif 000006
【図５】
2018113631.tif 000007
【図６】
2018113631.tif 000008
【図７】
2018113631.tif 000009
【図８】
2018113631.tif 000010
【図９】
2018113631.tif 000011